(57)【要約】【課題】構造が簡単で、容易に取付け可能であり、ゴミ除け機能を具えるとともに、軒樋差込部から軒樋が抜け落ちることも防げる集水装置を提供する。【解決手段】屋外側に立上がり部３１を備え左右側面に軒樋差込部３２が穿たれた集水器３と、ゴミ除け器１とからなり、該ゴミ除け器１は、取付け桿１１とこの取付け桿１１から軒樋底部に向かって垂下するくし歯状のゴミ捕集部１４を有し、該ゴミ除け器１は、上記集水器３の左右側面に着脱自在に取付けられるとともに、上記取付け桿１１は軒樋差込部３２に挿入された軒樋４を係止する集水装置Ａ。【選択図】図３
2007138611.tif 000002
【特許請求の範囲】
【請求項１】
屋外側に立上がり部を備え左右側面に軒樋差込部が穿たれた集水器と、ゴミ除け器とからなり、該ゴミ除け器は、取付け桿とこの取付け桿から軒樋底部に向かって垂下するくし歯状のゴミ捕集部を有し、該ゴミ除け器１は、上記集水器の左右側面に着脱自在に取付けられるとともに、上記取付け桿は軒樋差込部に挿入された軒樋を係止する集水装置。
【請求項２】
上記ゴミ除け器の取付け桿の屋外側端部には水平クリップが設けられるとともに、軒側端部には垂直クリップが設けられ、上記水平クリップと垂直クリップとは弾性樹脂から形成された請求項１に記載の集水装置。
【請求項３】
屋外側に立上がり部を備え左右側面に軒樋差込部が穿たれた集水器と、ゴミ除け器とからなり、該ゴミ除け器は、軒樋底部に向かって垂下するくし歯状の捕集部を有する左右取付け桿と、該左右取付け桿に架設される通水部とからなるとともに、上記集水器に着脱自在に取付けられ、上記左右取付け桿は軒樋差込部に挿入された軒樋を係止する集水装置。
【請求項４】
上記取付け桿の中央部より屋外側の外側には水平クリップが外設されるとともに、軒側端部には垂直クリップが設けられ、上記水平クリップと垂直クリップとは弾性樹脂から形成された請求項３に記載の集水装置。
【発明の詳細な説明】
【技術分野】
【０００１】
本発明は、集水装置に関する。さらに詳しくは、ゴミ除け器を備えた集水装置に関する。
【背景技術】
【０００２】
従来、軒樋に入ったゴミや落ち葉等により集水器や竪樋が詰まるのを防ぐため、軒樋の所々にくし歯状のゴミ除け器を設ける技術は公知である。一方、軒樋の下流側端部は集水器の側壁に穿たれた軒樋差込部に挿入されて接続されるが、軒樋が抜け落ちることを防ぐため、上記軒樋差込部に挿入された軒樋の端部にストッパを取り付けることも知られている。そこで、下記特許文献１には、上記ストッパにゴミ除け機能を付与した軒樋用ストッパが開示されている。
【特許文献１】特開平１１−１４８２０６号公報（第１〜３頁、第１図、第２図、第３図、第４図）
【発明の開示】
【発明が解決しようとする課題】
【０００３】
しかしながら、上記特許文献１に記載の軒樋用ストッパは構造が複雑で軒樋の端部に装着しにくく、また、断面が半円筒形の軒樋には取り付けることができないという問題がある。本発明はこのような問題を解決して、構造が簡単で、容易に取付け可能であり、ゴミ除け機能を具えるとともに、上記軒樋差込部から軒樋が抜け落ちることも防げる集水装置を提供することを、その課題とする。
【課題を解決するための手段】
【０００４】
上記課題を解決するために、本発明においては、つぎのような技術的手段を講じている。すなわち、請求項１に記載の第１発明によれば、屋外側に立上がり部を備え左右側面に軒樋差込部が穿たれた集水器と、ゴミ除け器とからなり、該ゴミ除け器は、取付け桿とこの取付け桿から軒樋底部に向かって垂下するくし歯状のゴミ捕集部を有し、該ゴミ除け器１は、上記集水器の左右側面に着脱自在に取付けられるとともに、上記取付け桿は軒樋差込部に挿入された軒樋を係止する集水装置が提供される。
【０００５】
請求項２に記載の集水装置は、請求項１に記載の発明に加えて、上記ゴミ除け器の取付け桿の屋外側端部には水平クリップが設けられるとともに、軒側端部には垂直クリップが設けられ、上記水平クリップと垂直クリップとは弾性樹脂から形成される。
【０００６】
請求項３に記載の第２発明によれば、屋外側に立上がり部を備え左右側面に軒樋差込部が穿たれた集水器と、ゴミ除け器とからなり、該ゴミ除け器は、軒樋底部に向かって垂下するくし歯状の捕集部を有する左右取付け桿と、該左右取付け桿に架設される通水部とからなるとともに、上記集水器に着脱自在に取付けられ、上記左右取付け桿は軒樋差込部に挿入された軒樋を係止する集水装置が提供される。
【０００７】
請求項４に記載の集水装置は、請求項３に記載の発明に加えて、上記取付け桿の中央部より屋外側の外側には水平クリップが外設されるとともに、軒側端部には垂直クリップが設けられ、上記水平クリップと垂直クリップとは弾性樹脂から形成される。
【発明の効果】
【０００８】
請求項１に記載の第１発明にかかる集水装置は上記のとおりであり、取付け桿とこの取付け桿から軒樋底部に向かって垂下するくし歯状のゴミ捕集部を有するゴミ除け器が、軒樋差込部が穿たれた集水器の左右側面に着脱自在に取付けられ、上記取付け桿は軒樋差込部に挿入された軒樋を係止するため、上記くし歯状の捕集部は集水器および竪樋がゴミや落ち葉等によって詰まることを防ぐとともに、取付け桿は軒樋の耳部を係止し、軒樋が集水器から抜け落ちることを防ぐ。
【０００９】
請求項２に記載の集水装置は上記のとおりであり、請求項１の集水装置の有する効果に加え、上記ゴミ除け器の取付け桿の屋外側端部には弾性樹脂から形成された水平クリップが設けられるとともに、軒側端部にも弾性樹脂から形成された垂直クリップが設けられているため、上記水平クリップと垂直クリップとによって、ゴミ除け器は集水器に着脱自在に弾性的にしっかりと取付けられる。
【００１０】
請求項３に記載の第２発明にかかる集水装置は上記のとおりであり、軒樋底部に向かって垂下するくし歯状の捕集部を有する左右取付け桿と、該左右取付け桿に架設される通水部とからなるゴミ除け器が、左右側面に軒樋差込部が穿たれた集水器に着脱自在に取付けられ、上記左右取付け桿は軒樋差込部に挿入された軒樋を係止するため、通水部は上方からのゴミや落ち葉等を遮り、捕集部と共に集水器および竪樋がゴミや落ち葉等によって詰まることを防ぐ。また、取付け桿は軒樋の耳部を係止し、軒樋が集水器から抜け落ちることを防ぐ。
【００１１】
請求項４に記載の集水装置は上記のとおりであり、請求項３の集水装置の有する効果に加え、上記ゴミ除け器の取付け桿の中央部より屋外側の外側には弾性樹脂から形成された水平クリップが外設されるとともに、軒側端部にも弾性樹脂から形成された垂直クリップが設けられているため、上記水平クリップと垂直クリップとによって、ゴミ除け器は集水器に着脱自在に弾性的にしっかりと取付けられる。
【発明を実施するための最良の形態】
【００１２】
以下、本発明の実施形態について図面を参照して、詳細に説明する。図１は第１発明にかかるゴミ除け器１を示す斜視図である。図１において、ゴミ除け器１は、取付け桿１１とこの取付け桿１１から軒樋底部に向かって垂下するくし歯状の捕集部１４を有し、上記取付け桿１１の屋外側に向かう端部には弾性樹脂から形成された屋外方向に開口する水平クリップ１２が設けられ、軒側端部には弾性樹脂から形成された下方に向かって開口する垂直クリップ１３が設けられている。また、垂直クリップ１３の内側の係止片１３１は外側の係止片１３２よりも長くされている。
【００１３】
図２は、上記ゴミ除け器１が取り付けられる集水器３および軒樋４を示す斜視図である。図２に示すように、集水器３は、屋外側に立上がり部３１が立設され、集水器３の左右側面には、軒樋４を挿入するための軒樋差込部３２が穿たれ、下部には竪樋５が接続されている。上記立上がり部３１は、装飾および軒樋４からの雨水が屋外側に跳ねたり、溢れ出ることを防ぐために設けられ、上記立上がり部３１の側片３１１には図１に示す水平クリップ１２が着脱自在に弾性係合する。さらに、軒樋差込部３２を穿った後に形成された切片３３には、同じく垂直クリップ１３が着脱自在に弾性係合する。
【００１４】
つぎに、第１発明にかかる集水装置の構成について説明する。まず、図２に矢印で示すように、軒樋４を集水器３の左右側面に穿たれた軒樋差込部３２に挿入する。その後、図１に示すゴミ除け器１の水平クリップ１２を立上がり部３１の側片３１１に弾性係合し、ついで垂直クリップ１３を下方に移動し、図２に示す切片３３に弾性係合することによって、ゴミ除け器１は集水器３に取り付けられ、軒樋４の耳部４１は取付け桿１１によって係止される。
【００１５】
上記のようにして組み立てられた第１発明にかかる集水装置Ａを図３に示す。図３に示すように、ゴミ除け器１は水平クリップ１２および垂直クリップ１３によって集水器３に着脱自在に弾性係止され、また、軒樋４の底部に向かって垂下するくし歯状の捕集部１４は集水器３および竪樋５がゴミや落ち葉等によって詰まることを防ぐ。さらに、垂直クリップ１３の内側の係止片１３１は外側の係止片１３２よりも長くされているため切片３３を挟持し、ゴミ除け器１が簡単に外れることなく、しっかりと集水器３に取付けることができる。
【００１６】
図４は、第２発明にかかるゴミ除け器１ａを示す斜視図である。図４において、ゴミ除け器１ａは、第１発明における取付け桿１をさらに屋外側に延出して形成され、くし歯状の捕集部１４ａを有する左右取付け桿１１ａと、通水部２とからなる。上記通水部２は左右両取付け桿１１ａの間に架設され、上方からのゴミや落ち葉等を遮り、捕集部１４ａと共に集水器３および竪樋５がゴミや落ち葉等によって詰まることを防ぐ。
【００１７】
図４に示すように、上記取付け桿１１ａの中央部より屋外側の外側には水平クリップ１２ａが外設され、軒側端部には下方に開口する垂直クリップ１３ａが設けられている。また、第１発明と同様に、垂直クリップ１３ａの内側の係止片１３３は外側の係止片１３４よりも長くされている。
【００１８】
つぎに、第２発明にかかる集水装置の構成について説明する。まず、図２に矢印で示すように、軒樋４を集水器３の左右側面に穿たれた軒樋差込部３２に挿入する。その後、図４に示すゴミ除け器１ａの水平クリップ１２ａを、図２に示す集水器３の立上がり部３１の側片３１１に弾性係合し、ついで垂直クリップ１３を下方に移動して切片３３に弾性係合する。このようにして、ゴミ除け器１ａは集水器３に取り付けられ、軒樋４の耳部４１は左右取付け桿１１ａでしっかりと係止される。上記のようにして組み立てられた第２発明にかかる集水装置Ｂを図５に示す。図５に示すように、ゴミ除け器１ａは水平クリップ１２ａおよび垂直クリップ１３ａによって集水器３に着脱自在に係止され、通水部２は上方からのゴミや落ち葉等を遮り、捕集部１４ａと共に集水器３および竪樋５がゴミや落ち葉等によって詰まることを防ぐ。
【００１９】
上記通水部２は網状体で示されているが、雨水を通し、ゴミや落ち葉等を遮る形態であればとくに限定されず、長孔または単なる円孔をプレートに穿ったものを用いてもよい。このように、本発明は種々設計変更自在であり、特許請求の範囲を逸脱しない限り、本発明の技術的範囲に含まれる。
【図面の簡単な説明】
【００２０】
【図１】第１発明にかかるゴミ除け器を示す斜視図である。
【図２】第１発明にかかるゴミ除け器が取り付けられる集水器および軒樋を示す斜視図である。
【図３】第１発明にかかる集水装置を示す斜視図である。
【図４】第２発明にかかるゴミ除け器を示す斜視図である。
【図５】第２発明にかかる集水装置を示す斜視図である。
【符号の説明】
【００２１】
Ａ          第１発明にかかる集水装置
１          ゴミ除け器
１１        取付け桿
１２        水平クリップ
１３        垂直クリップ
１３１      内側係止片
１３２      外側係止片
１４        捕集部
Ｂ          第２発明にかかる集水装置
１ａ        ゴミ除け器
１１ａ      取付け桿
１２ａ      水平クリップ
１３ａ      垂直クリップ
１３３      内側係止片
１３４      外側係止片
１４ａ      捕集部
２          通水部
３          集水器
３１        立上がり部
３１１      側片
３２        軒樋差込部
３３        切片
４          軒樋
４１        耳部
５          竪樋
【図１】
2007138611.tif 000003
【図２】
2007138611.tif 000004
【図３】
2007138611.tif 000005
【図４】
2007138611.tif 000006
【図５】
2007138611.tif 000007